(57)【要約】      （修正有）【課題】パチンコ機等には外部電源が与えられた状態で扉スイッチの状態により、扉が開かれた事を音声、光等で報知する警報器が用いられているが、従来機能に加え、電源が入っていない夜間での扉を開いての不正行為も確実、簡単に検知、記憶し外部電源が与えられた時、音声、光等で報知する警報器に利用できる記憶型扉開閉検出器を提供する。【解決手段】抵抗２９とダイオ−ド３０の結合点とマイコン２４の入力端子２４h間に抵抗３２（電流制限素子）を介在させる事により入力端子部に静電気保護ダイオ−ドが付加されているマイコン２４で判定してもグランド線を切断する不正行為を発見できるようにした。【選択図】図２
2008119432.tif 000002
【特許請求の範囲】
【請求項１】
外部電源が与えられていない状態で扉が開けられた事を記憶し、外部電源が与えられた後に記憶に基づき警報用の信号を発する事を可能とする記憶型扉開閉検出器において、扉の開閉検出を内部電源から抵抗とダイオ−ドを介して扉スイッチに接続し、前記抵抗とダイオードの結合点の電位の大きさで判定しているものにあって、前記結合点とマイコン等半導体の入力端子間に抵抗等の電流制限素子を介在させる事により、記憶型扉開閉検出器のグランド配線が切断された事を検知できることを特徴とする記憶型扉開閉検出器。
【請求項２】
請求項１であって、
抵抗、コンデンサ−、ダイオ−ド、マイコン等電子部品をプリント基板の一方の面に装着し、他方の面にコネクタ、内部電源、扉スイッチを装着すると共に、扉スイッチをプリント基板の接点用銅箔部を用いて構成することで、小型、且つ安価に提供できるようにした事を特徴とする記憶型扉開閉検出器。
【発明の詳細な説明】
【技術分野】
【０００１】  本発明は、防犯機器、特にはパチンコ遊技機、スロット機の用途分野に関連する。
【背景技術】
【０００２】  パチンコ機への利用を代表として記載する。パチンコ機ては、遊技中に遊技者がパチンコ機の扉を開いて、球を入賞口へ入れる不正を防ぐ事を目的に、扉が開かれるとパチンコ店の従業員に知らせるランプ表示、音声案内の機能が監督官庁の指導のもと、全てのパチンコ機個々に備えられている。よって、従業員や多くの遊技者が居る営業時間中の扉を開いての不正行為はほぼ防止できている。【０００３】が、夜間の扉を開いての不正行為に対しては、店舗全体の防犯システム、例えば監視カメラ等に依存している。これもおおいに進歩して、防犯に成果を上げているが、全体を監視する方法は盲点も出やすく狙われる心配がある。そこで、本発明は、パチンコ機一台、一台の電源がオフにされている夜間でも扉が開かれた事を記憶し、翌日の営業時に電源を入れると異常が有れば、警報を発する事で犯罪を軽減するものである。夜間の不正は昼間の不正に比べ悪質のレベルが大きい為、効用が大きい。夜間で説明しているが、電源が入っていない状態とは、輸送中の防犯にも効果が有る事も意味するものである。【０００４】  本発明は、出願人が出願している特願２００６−２７８１５８「扉開閉検出器」と関連する。先願の内容でも検出器の配線を切断する不正行為も発見できるべく構成したが、マイクロコンピュ−タ−（以後マイコンと言う）等半導体の図示されない静電気保護ダイオ−ドが配線切断という不正行為を発見できなくする課題があった。【０００５】  また、今まで広く使われて来た記憶能力の無い通常の「扉開閉検出器」に対して、効用が大きいと言え、寸法が大きく成り過ぎたり、高価に成り過ぎては利用されにくいという課題が有った。
【発明の開示】
【発明が解決しようとする課題】
【０００６】
【０００７】  本発明が解決しようとする課題は、［背景技術］でも述べたように
（１）マイコン等半導体に静電気保護ダイオ−ドが有っても配線切断の不正を発見できること。
（２）記憶機能を付加しても小型かつ安価な扉開閉検出器を提供すること。
上記（１）（２）が、解決しようとする課題である。
【課題を解決する為の手段】
【０００８】  請求項１の記憶型扉開閉検出器は、外部電源が与えられていない状態で扉が開けられた事を記憶し、外部電源が与えられた後に記憶に基づき警報用の信号を発する事を可能とする記憶型扉開閉検出器において、扉の開閉検出を内部電源から抵抗とダイオ−ドを介して扉スイッチに接続し、前記抵抗とダイオ−ドの結合点の電位の大きさで判定しているものにあって、前記結合点とマイコン等半導体の入力端子間に抵抗等の電流制限素子を介在させる事により記憶型扉開閉検出器のグランド配線が切断された事を検知できることを特徴とする記憶型扉開閉検出器であるから外部電源への配線、出力端子への配線の切断を検知出来るだけでなく、用いる半導体の種類を問わず、グランド線（グランド配線とも言う）の切断も検知でき、不正行為に対する耐性が高いと言う、課題（１）の効果がある。
【０００９】  請求項２の記憶型扉開閉検出器は、外部電源が与えられていない状態で扉が開けられた事を記憶し、外部電源が与えられた後に記憶に基づき警報用の信号を発する事を可能とする記憶型扉開閉検出器において、扉の開閉検出を内部電源から抵抗とダイオ−ドを介して扉スイッチに接続し、前記抵抗とダイオ−ドの結合点の電位の大きさで判定しているものにあって、前記結合点とマイコン等半導体の入力端子間に抵抗等の電流制限素子を介在させる事により、記憶型扉開閉検出器のグランド配線が切断された事を検知できることを特徴とする記憶型扉開閉検出器であって、抵抗、コンデンサ−、ダイオ−ド、マイコン等電子部品をプリント基板の一方の面に装着し、他方の面にコネクタ、内部電源、扉スイッチを装着すると共に、扉スイッチをプリント基板の接点用銅箔部を用いて構成することで、小型、且つ安価に提供できるようにした事を特徴とする記憶型扉開閉検出器であるから、課題（２）の効果がある。
【発明を実施する為の最良の形態】
【００１０】  図１は本発明の実施例の外観図で上蓋の一部を破断し、内部構成が見える状態を示す。プリント基板１の一方の面には電子部品２が実装される。電子部品とは後に図２で述べる抵抗、コンデンサ、ダイオ−ド、マイコン等を言う。プリント基板の他方の面にはコネクタ３、内部電源である電気二重層コンデンサ５及び扉スイッチ４が実装されている。ＬＥＤは使われない事も有るし、視認性の為どちらの面に実装されるか定まらない。部品が実装されたプリント基板は上蓋６と下蓋７のケ−ス内に収納される。上蓋６にはコネクタ用開口６ａとＬＥＤ用開口６ｂ、６ｃが設けられると共に、スイッチノブ用開口６ｄが設けられている。
【００１１】  コネクタ３は３極から成り１極目は電源入力端子、２極目は出力端子で３極目はグランド端子である。電源入力端子に外部電源が与えられている時は従来の扉スイッチと同様に扉スイッチ４の開、閉の状態を出力端子に出力できる。又、外部電源が与えられていない時には、内部電源５のエネルギ−で扉スイッチの開閉を検知すると共に電子部品の作用で検知した信号を記憶し、外部電源が与えられた後出力端子に信号を出力する。また、状態をＬＥＤで報知する。
【００１２】  上述した動作がどのように作られるか、また、課題として述べたグランド線が切断された時いかなる問題が起き、いかに解決するかを図２、図３を用いて以下に説明する。
図２は実施例の回路図である。（ａ）は記憶型扉開閉検出器の回路図と出力端子からの信号を受けて作動する警報基板の関係を示し、１のプリント基板の線は扉スイッチ４も含め全ての部品がプリント基板内に組み付けられる事を表す為に記す。（ｂ）はマイコンの内部を示す為の補助図である。
【００１３】コネクタ−３の電源入力端子３−１には直流の１２Ｖ等の電源が与えられたり、与えられなかったりする。端子３−１からはホトカプラ−８の（ホトカプラ−を以後擬似扉スイッチとも言う、理由は扉スイッチが不作動状態でも記憶に基づき扉スイッチの働きを行う為。また、擬似扉スイッチはホトカプラ−に限らず機械的なリレ−、ホトモスリレ−等同機能の物を含む）トランジスタ−８ａとダイオ−ド９と扉が閉じられている時には閉の扉スイッチ４を経て出力端子である３−２と結ばれ、外部の警報基板１０の抵抗１１を介してグランドに結ばれる。又、端子３−１からはホトカプラ−の発光ダイオ−ド８ｂ、抵抗１８、緑ＬＥＤ１９、トランジスタ−２０、グランド端子である３−３を介してグランド線１５でグランドされる。同様に端子３−１からは抵抗２１、抵抗２２を介して前記トランジスタ−２０のベ−スに結ばれる。
【００１４】上記結線の為、外部電源が端子３−１に与えられている時は、トランジスタ−２０はオンで、ホトカプラ−８もオンであり、ダイオ−ド９も順方向の為、扉スイッチ４の開閉状態が出力端子３−２を介し警報基板１０の抵抗１１へ状態を伝える。
扉が閉じている時には扉スイッチ４は閉であり、抵抗１１に十分電流が流れ電圧降下が大きく警報基板は正常と判断する。一方、扉が開かれ、扉スイッチ４が開ならば抵抗１１への電流が無くなり抵抗１１の電圧降下が無く、符号の記載されていないコンパレ−タ−、処理器は表示器１２、音声出力器１３に光、音声の出力で警報を発する。
即ち、以後に説明するマイコン等の働きが無い時は従来の扉スイッチと全く同様な作動を行う。
【００１５】端子３−１は電源ＩＣ１４に結ばれ、その出力端子はコンデンサ−１６に結ばれ、電源１Ｃのグランド端子、コンデンサ−１６の他端はグランド端子３−３に結ばれる。コンデンサー１６からはダイオ−ドｌ７を介し内部電源である電気二重層コンデンサ−５に結ばれる。内部電源は端子３−１に外部電源が与えられていない時のエネルギ−を供給する。内部電源はマイコン２４の電源端子２４ａに結ばれ、マイコンのグランド端子２４ｂはグランドされ、発振用端子２４ｃ、２４ｄには発振子２５が結ばれると共に各々にコンデンサ−２６が結ばれ両コンデンサ−の他端はグランドされる。また、マイコンの入力端子２４ｇは抵抗２７と抵抗２８の結合点に結ばれる。抵抗２７の他端は端子３−１に抵抗２８の他端は端子３−３に結ばれる。結果、入力端子２４ｇには外部電源が与えれている時はハイの電位、与えられていない時はロ−の電位が生ずる。
【００１６】  マイコンの他の入力端子２４ｈは抵抗２９とダイオ−ド３０の結合点に抵抗３２を介して結ばれる。抵抗２９の他端は内部電源５に結ばれ、ダイオ−ド３０の他端は扉スイッチ４に結ばれる。結果、外部電源が与えられている時には、入力端子２４ｈには扉スイッチ４の開閉に関係なくハイの電位で且つ、ダイオ−ド３０で過大電圧でない信号が与えられる。（ダイオ−ド３０のアノ−ドは扉スイッチ４が開なら端子３−１の電位のままで１２Ｖ、扉スイッチが閉なら抵抗１１の電圧降下が十分大きいからほぼ１２Ｖでダイオ−ド３０で阻止され内部電源の電圧値が与えられ、ハイ）。  外部電源が与えられていない時は、扉スイッチ４が閉（扉が閉じられている時）なら内部電源５から抵抗２９、ダイオ−ド３０、扉スイッチ４、抵抗１１のループで電流が流れ抵抗２９の抵抗値が抵抗１１の抵抗値より十分大きく作られているため、ロ−になる。一方、扉スイッチ４が開（扉が開かれる）なら上述の電流が流れず入力端子２４ｈは内部電源の電圧が加わり、ハイになる。ここで、ダイオ−ド９はホトカプラ−８のトランジスタ−８ａの漏れ電流に備えて設けられているがホトカプラ−の特性によっては除去しても良い。
【００１７】  マイコン（記憶素子）は上記入力端子２４ｇ，２４ｈで外部電源が無い時に扉が開かれた事を２４ｇがロ−、２４ｈがハイの条件で検知でき、それをメモリ−に記憶する。次に、２４ｇがハイに成った後記憶が有るか否かを判定し処置行動を行う。
処置行動の動作はマイコンの出力端子２４ｅが抵抗３１を介しトランジスタ−２３のベ−スに結ばれ、同トランジスタ−のコレクタが前記抵抗２１、２２の結合点に、同エミッタ−がグランドに結ばれる事で、出力端子２４ｅをハイにすれば、トランジスタ−２３をオンにし、トランジスタ−２０のベ−ス電流を無くし、トランジスタ−２０をオフに、即ち、ホトカプラ−８をオフにして、扉スイッチ４が閉であっても抵抗１１への電流を遮断し警報基板１０を作動できる。この作動は一定時間で終了させる事も、継続状態に保たせる事も出来る。この時、緑ＬＥＤ１９は消灯し、状態報知として用いられる。
【００１８】出力端子２４ｆには電源ＩＣ１４から抵抗３３、赤ＬＥＤ３４（扉開放記憶表示器とも言う）が結ばれており、上述した外部電源が無い時に扉が開かれた事を外部電源が与えられた後に表示する。表示方法として出力端子２４ｅが一定時間で復帰した後も表示を続け、一度、外部電源をオフにした後再度オンにした時に消灯させるのが好適である。但し、外部電源をオフにする間、扉スイッチ４を閉状態にする必要がある。
【００１９】  入力端子２４ｇ、２７ｈは信号を受け付ける入力端子であると共に、ソフトウエア−の割込み動作を起こさせる割込み動作受付端子を兼ねている。すなわち、２４ｇ，２４ｈはロ−、ハイの信号をマイコンに与えると共に、各々がロ−からハイ、ハイからロ−に変化した事で割込みプログラムに書かれた処置を実行する。
【００２０】以上が本発明の背景となる記憶型扉開閉検出器の構成と動作であり、さらに詳しく図３のフロ−チャ−トで動作説明を後に行うが、課題であるグランド線１５が不正行為者により切断された時の状態を説明する。図２の（ｂ）はそれを説明する為の補助図である。マイコン２４の内部には入力回路２４ｋと入力端子２４ｈ間に静電気保護ダイオ−ド２４ｊ，２４１が結ばれている、各々のダイオ−ドの他端は電源端子２４ａ、グランド端子２４ｂと結ばれる。消費電流の少ないＣＭＯＳ構造の入力回路２４ｋは過大電圧で簡単に破壊する、防止策として上記ダイオ−ドを付加すると入力端子２４ｈに入ったプラスに高い電圧は電源端子２４ａに流れ入力回路２４ｋには電源電圧＋０．６Ｖ程で、マイナスに大きな電圧はグランド端子２４ｂから電流供給を受け−０．６Ｖ程に減少させられ入力回路２４ｋを破壊から保護する。全てのマイコン、論理ＩＣに静電気保護ダイオ−ドが用いられる訳では無く他の方式も有るが何の説明もなく使われている事例が多い。
【００２１】さて、グランド線１５が切断された時の動作を説明する。端子３−１に外部電源が与えられると、電源ＩＣ１４の入力端子から電源ＩＣのグランド端子に電流が流れようとする、端子３−１から抵抗２１、２２、トランジスタ−２０のベ−スへも順方向で流れようとする。結果、トランジスタ−２０で増幅され、発光ダイオ−ド８ｂ、抵抗１８、緑ＬＥＤ１９、トランジスタ−２０へも流れようとする。また、抵抗２７、２８からも流れようとする。本来、これら電流はグランド線１５を通りア−スされるが、グランド線が切断されていることから、行き先を静電気保護ダイオ−ド２４ｉを通り入力端子２４ｈ、ダイオ−ド３０、扉スイッチ４、  抵抗１１へと変えて流れる。抵抗１１は通常Ｋオ−ム程の抵抗値の物が用いられ、上記合計の電流値がミリアンペア程有るとボルト単位の電位となり、警報基板１０を正常と判断させてしまう。ここに抵抗３２が有り、その値を数１００Ｋオ−ム以上にすれば抵抗１１での発生電位は十分に小さく出来、警報基板で誤判断をされる事は無くなる。
【００２２】ここで、抵抗３２等電流制限素子を用いた場合のグランド線１５が切断された時の動作を説明する。上述したように本来グランド線１５に流れていた種種のル−プの電流は抵抗３２で制限され、抵抗１１で誤判断される事は無い。また、グランド線１５の切断と抵抗３２の追加の為トランジスタ−２０への抵抗２１、２２を介してのベ−ス電流は実質的にゼロで、結果トランジスタ−２０はオンは出来ない。よって、ホトカプラ−８はオンに成り得ず、扉スイッチ４が閉の扉が閉じた状態でも抵抗１１へ電流を供給できず、警報基板１０に異常を知らせる。
ここで重要な事は、マイコン２４の動作に関係なく、ホトカプラ−８で異常を知らせている事である。グランドが外されればマイコンが正しく動作できない事は当然であるが、マイコンが動作できない状態でも断線を「扉が閉じている」のに「扉が開いている」と警報して報知できるのである。抵抗３２を抵抗等電流制限素子と記載する理由は、グランド線の断線を検知して電流を制限する半導体で置き換える事をも含む事を意味する。
【００２３】  次に、図３の（ａ）（ｂ）のフロ−チャ−トでプログラムと動作の説明をする。
（ａ）はメインプログラムであり、スタ−トすると、Ｓ１で割込み禁止をし、次のＳ２、Ｓ３での設定を確実に行える環境にする。Ｓ２のマイコンの初期設定ではプルアップ抵抗を使用しない様にする、外付け部品を少なく出来るようにプルアップ抵抗が内蔵されているが消費電流を少なくする場合には使わない設定が望ましい。また、ポ−トの入出力を設定する。マイコンは汎用性を高める為、入出力はソフトで決める、図２では２本を入力に２本を出力と決めている。
【００２４】  Ｓ３では出力と変数の初期化を行う。具体的には擬似扉スイッチを作動させる出力のデ−タをオフ側に設定する。また、扉開放記憶表示器を作動させる出力のデ−タをオフにする。
また、外部電源オフ中に扉が開かれた記憶である、開放記憶１をクリヤ−する。また、扉開放記憶表示器を動作させるのに用いる記憶である開放記憶２をクリヤ−する。
【００２５】  次に、Ｓ４で割込みの許可をする。割り込みの種類は種種有るが、この事例ではポ−ト入力変化割込みに対して割込みを許可する。Ｓ５では命令でスリ−プモ−ドに入り、割込み要因の発生を待つ状態となる。スリ−プモ−ド（待機状態とも言う）では、発振も停止し、消費電流を極端に少なくすることが出来、内部電源を電池でなく、廃棄に伴なう公害の心配が無いコンデンサ−で可能としている。
【００２６】  割込み要因は図２では、入力端子２４ｇが変化する時、すなわち、外部電源が投入され、ロ−からハイに変化した時と、外部電源が遮断されハイからロ−に変化した時。それと、入力端子２４ｈが変化する時、扉が閉じられた状態から開かれた時、および、開けられた状態から閉じられた時の４種類の要因で（ｂ）で示す割込み処理を行い、処理後Ｓ５のスリ−プモ−ドへと帰る。
【００２７】  次に、（ｂ）の割込み処理を説明する。Ｓ６ではレジスタ−待避が行われる、これは、（ａ）のメインプログラムで使われていたレジスタ−の内容が割込み処理を実行する事で変化し、復帰後のメインプログラムが影響を受ける害を防ぐ行為である。Ｓ７、Ｓ８は割込み要因が何であるかを判別し、要因に応じて動作を決める。Ｓ７で入力端子２４ｇがロ−で外部電源は無しと判定されれば、Ｓ８へ行き、扉の状態が判定される。図２の例で２４ｈがロ−であれば扉は閉と判定されＳ２１へ行き、次の割込みを実行しうる状態にするため、割り込みフラグをクリヤ−する。次に、Ｓ２２へ行き、Ｓ６で待避したレジスタ−を復帰させ、メインプログラムのＳ５へ復帰する。
【００２８】  Ｓ８での判定が扉は開であれば、Ｓ９へ進み開放記憶１と名前を付けられたＲＡＭに１が書き込まれ開放された事が記憶される。勿論、値は１でなくても記憶が無い状態の値以外で区別できれば何でありても良い。記憶は電源が無くなったり、プログラムて簡単に書き換わるＲＡＭではなく、ＥＥＰＲＯＭに書込み、暗証番号等で照合できた時に消せるように変更することも可能である。Ｓ９の後はＳ２１へと進み前述と同じである。
【００２９】  次に、割込みが発生し、Ｓ７で外部電源が有りと判定されたとする。Ｓ１０へ進み、前述した開放記憶１のＲＡＭの内容が判定される。内容が１で扉開放の記憶が有りならば、Ｓ１１で扉開放記憶表示器を点灯させる、図２ではマイコンの出力端子２４ｆをロ−にして赤ＬＥＤ３４をオンさせる動作である。つぎに、Ｓ１２へ進み待機時間１の動作を行う、具体的には数秒から数分の待ち時間を作ることである。その待ち時間の後、Ｓ１３で擬似扉スイッチを作動させる。図２では出力端子２４ｅをハイにして、トランジスタ−２３をオンにし、トランジスタ−２０をオフにし、ホトカプラ−８をオフにし、警報基板１０へ知らせる事である。
【００３０】  次に、Ｓ１４で待機時間２の処理が行われる。具体的には数秒から数分の待ち時間を作り、警報基板１０による表示器１２、音声出力器１３で異常を確実に知らしめる待ち時間を作ることである。次に、Ｓ１５で擬似扉スイッチを不作動にすると共にＳ１６で開放記憶１のＲＡＭの内容をクリヤ−し消去する。
【００３１】  次に、Ｓ１７で開放記憶２と名前を付けられたＲＡＭに値３を書き込む。開放記憶２とは扉開放記憶表示器を作動させるか否かを判定する情報を記憶する為のＲＡＭである。次に、Ｓ１８で上記ＲＡＭの開放記憶２の内容を１減ずる、Ｓ１９へ進み開放記憶２が０であるか否かを判定する。いまは、０でないので、Ｓ２１、Ｓ２２と進み、割込み動作は終了しメインのＳ５へと復帰する。以上で外部電源が無い状態で扉が開かれた時の記憶に従い、次の外部電源投入で扉が開かれていなくとも擬似扉スイッチの働きで警報基板が警報を発する説明とする。
【００３２】  上記動作中のＳ１３で擬似扉スイッチが作動すると図２のホトカプラ−８のトランジスタ−８ａが開になるから、扉が閉じており、即ち、扉スイッチ４が閉で抵抗１１に電流が流れないから、ダイオ−ド３０のカソ−ドはロ−であり、入力端子２４ｈはハイ状態からロ−へと変化する。これは割込み要因の発生を意味する。
【００３３】  上記割込み要因により、前述の割込み動作が終了後、再び割込み動作が始まり、Ｓ６、Ｓ７と進み、外部電源が有りだからＳ１０へ進むが前回Ｓ１６で開放記憶１は消去されているため、無しに分岐し、Ｓ１８へ進み開放記憶２をマイナス１する。いまだ残数として１が残っているため、Ｓ１９の判定ではＳ２１へと進み、Ｓ２１、Ｓ２２から割込みは終了しメインプログラムへ復帰する。以上説明は前回割込みのＳ１１で点灯された扉開放記憶表示器は点灯のまま残っている事を意味する。
【００３４】  扉開放記憶表示器を消灯したい時は、さらなる割込みをさせる為、外部電源をオフにし再度外部電源をオンにする。それにより、Ｓ６、Ｓ７、Ｓ１０、Ｓ１８、Ｓ１９と進ませ開放記憶２をゼロにして、Ｓ２０へ進ませ扉開放記憶表示器を消灯させる。ここで注意を要する事は、外部電源をオフにし、オンにするに当り、扉スイッチ４を閉に、即ち、扉が閉じている状態にしておいて行う必要がある。さもないと、再び記憶を新規に作ることとなる。パチンコ機では外部電源を操作するには、扉を開く必要があるため、無意識に扉スイッチが開になっているため、意識して、扉スイッチを押しながら外部電源のオフ、オンを行う必要がある。
【００３５】  以上、フロ−チャ−トに従い説明したが、本発明は全ての項目を必要とするものではない。例えば、Ｓ１１、Ｓ１４、Ｓ１５、Ｓ１６、Ｓ１７、Ｓ１８、Ｓ１９、Ｓ２０を無くし基本に徹し扉開放記憶表示器機能を削除し、擬似扉スイッチも復帰させず、作動のままにしても良い。
【００３６】  また、Ｓ１１、Ｓ１７、Ｓ１８、Ｓ１９、Ｓ２０を無くし、扉開放記憶表示器の機能は無くするが、擬似扉スイッチは自動的に復帰させても良い。
【００３７】  次に図４で実施例の構成を説明する。プリント基板１上には面実装型のコネクタ−３、面実装型の内部電源である電気二重層コンデンサ−５、赤ＬＥＤ３４、緑ＬＥＤ１９、扉スイッチ４が示されている。プリント基板１には接点用銅箔部１ａと１ｂが設けられており接点板３５が接点用銅箔部１ａにハンダ付けされ固着されている。接点板３５にはスイッチノブ３６が取り付けられ、コイルスプリング３７がスイッチノブの突起部３６ｂと接点板３５のスプリングホルダ−部に取り付けられている。圧縮型のコイルスプリングの反発力でスイッチノブは外方向へ力を受け張出し部３６ａが接点板のスイッチホルダ−部３５ａと当り正規の位置にある。示した構成はケ−スである上蓋、下蓋に依存せず扉スイッチ４をもプリント基板上で安定に組上げ、検査が行い易いという効果がある。
【００３８】  次に図５で扉スイッチの構成、動作を説明する。（ａ）は扉が開けられ扉スイッチが開の状態を示し、（ｂ）は扉が閉められ扉スイッチが閉の状態を示す。なを、両図は図４のＡ−Ａ断面である。（ｃ）は接点板３５の形状を示す。接点板３５は燐青銅等のバネ性の金属で作られ、一方の端にスイッチノブホルダ−部３５ａが作られている。コノ字状に曲げられた幅寸法はスイッチノブの幅よりわずかに大きく、高さ寸法はスイッチノブの高さより僅かに大きく、ケ−スの上蓋が被さる時、上蓋がスイッチノブに当り、動きを妨げないように作られる。スイッチノブホルダ−部３５ａの底面は連結部３５ｂに繋がり、連結部の中心部は開口し中に可動接点部３５ｃが残されている、可動接点部は一端が連結部に繋がり、傾斜を持って曲げられており、他端は開放され、先端近くに打出し、又は、曲げ加工で接点部３５ｄが作られている。連結部のスイッチノブホルダ−部の反対側は折り曲げられスプリングホルダ−部３５ｅが作られ、その一部には打出し部３５ｆが作られている。
【００３９】  図５の（ａ）には、コイルスプリング３７の力でスイッチノブが外方向へ押しやられ可動接点部３５ｃには外力が加わらず、接点部３５ｄは接点用銅箔部１ｂに接していなく、接点用銅箔部１ａ、１ｂ間が開の状態である事が示されている。図（ｂ）にはスイッチノブが押され、スイッチノブの当接部３６ｃが可動接点部３５ｃの傾斜部を押し進み、結果、接点用銅箔部１ａ、１ｂ間が接点板３５で結ばれ扉スイッチとして閉の状態に成っている事を示している。また、図は曲げの有る可動接点部によってスイッチノブが上蓋方向に移動させられている状態を示している。プリント基板と上蓋の内面までの寸法はスイッチノブの高さ寸法と接点部３５ｄの高さ寸法の加算値より僅かに大きく作られ食い付きでスイッチノブの動きが妨げられなく、かつ、接点部３５ｄが確実に接する寸法に作られる。
また符合２で示した電子部品はマイコン、抵抗、コンデンサ−等を代表するものである。
【００４０】  以上の実施例の説明ではマイコンを用いて説明したが、マイコンで行える動作はゲ−トＩＣ、カウンタ−ＩＣ、フリップフロップ等ハ−ドで出来る事は先願で示した通りであり、マイコン、ハ−ドＩＣを問わず記憶型扉開閉検出器を作る上でグランド線を切断する不正行為に対して有用な効用を持つ。又、警報基板１０を抵抗１１の電位をコンパレ−タ−で判定する方法で述べたが、記憶型扉開閉検出器の出力を他の方法で利用できる事も明らかである。
【００４１】  また、世に無い新しい機能を追加する上で、従来の物に対して寸法が大きく成りすぎなく、且つ、いたずらに高価に成らない事に関し明細に示した実施例の物は２５ミリｘ１５ミリｘ１０ミリ程と十分小型化でき、かつ、単価も記憶機能のない物の２倍ほどに抑える事が可能となり、実用される上での効用が大きい。
【００４２】  以上、明細書でパチンコ機への適用を中心に述べて来たが、省エネルギ−と犯罪防止は社会にとって、今後ますます重要となる中で、非使用時は電源を絶ち省エネルギ−に努め、かつ、非使用時に行われる不正を早期発見し、被害を少なくする用途は増大する。例えば、侵入犯によるＩＣカ−ド等の情報盗難は見た目の盗難物品が無い為、発見が遅れ、被害を大きくするが、外出時に冷蔵庫、通信機器を除き一括電源遮断を行い、帰宅時にドアの開閉記憶の確認で両問題を解決する用途に利用できる。
【図面の簡単な説明】
【００４３】
【００４４】
【図１】  本発明の記憶型扉開閉検出器の実施例を示す説明図。
【図２】  本発明の記憶型扉開閉検出器の実施例の回路を示す説明図。
【図３】  本発明の動作を説明するフロ−チャ−ト図
【図４】  本発明の記憶型扉開閉検出器の実施例を示す説明図。
【図５】  本発明の記憶型扉開閉検出器の実施例を示す説明図。
【符号の説明】
【００４５】１・・・・・・・・・・・プリント基板
２・・・・・・・・・・・電子部品（抵抗、コンデンサ−、ダイオ−ド、マイコン等）
３・・・・・・・・・・・コネクタ−
４・・・・・・・・・・・扉スイッチ
５・・・・・・・・・・・内部電源（電気二重層コンデンサ−）
６・・・・・・・・・・・上蓋
７・・・・・・・・・・・下蓋
８・・・・・・・・・・・ホトカプラ−（擬似扉スイッチ）
９・・・・・・・・・・・タイオ−ド
１０・・・・・・・・・・警報基板
１１・・・・・・・・・・抵抗
１２・・・・・・・・・・表示器
１３・・・・・・・・・・音声出力器
１４・・・・・・・・・・電源ＩＣ
１５・・・・・・・・・・グランド線（グランド配線）
１６・・・・・・・・・・コンデンサ−
１７・・・・・・・・・・ダイオ−ド
１８・・・・・・・・・・抵抗
１９・・・・・・・・・・緑ＬＥＤ
２０・・・・・・・・・・トランジスタ−
２１・・・・・・・・・・抵抗
２２・・・・・・・・・・抵抗
２３・・・・・・・・・・トランジスタ−
２４・・・・・・・・・・マイクロコンピュ−タ−（マイコン  記憶素子）
２５・・・・・・・・・・発振子
２６・・・・・・・・・・コンデンサ−
２７・・・・・・・・・・抵抗
２８・・・・・・・・・・抵抗
２９・・・・・・・・・・抵抗
３０・・・・・・・・・・ダイオ−ド
３１・・・・・・・・・・抵抗
３２・・・・・・・・・・抵抗（電流制限素子）
３３・・・・・・・・・・抵抗
３４・・・・・・・・・・赤ＬＥＤ（扉開放記憶表示器）
３５・・・・・・・・・・接点板
３５ａ・・・・・・・・・スイッチノブホルダ−部
３５ｂ・・・・・・・・・連結部
３５ｃ・・・・・・・・・可動接点部
３５ｄ・・・・・・・・・接点部
３５ｅ・・・・・・・・・スプリングホルダ−部
３５ｆ・・・・・・・・・打出し部
３６・・・・・・・・・・スイッチノブ
３６ａ・・・・・・・・・張出し部
３６ｂ・・・・・・・・・突起部
３６ｃ・・・・・・・・・当接部
３７・・・・・・・・・・コイルスプリング
【図１】
2008119432.tif 000003
【図２】
2008119432.tif 000004
【図３】
2008119432.tif 000005
【図４】
2008119432.tif 000006
【図５】
2008119432.tif 000007